(57)【要約】【課題】煙感知点検口の扉が、エレベータの走行中に誤って開けられた場合でも、エレベータが急停止せず、乗客が乗りかご内に閉じ込められる事態となるリスクを低減できるようにする。【解決手段】煙感知器点検口２０の開口部を開閉する点検口扉を、内側の内扉２３と外側の外扉２１からなる二重扉に構成し、内扉２３にはその開閉を検知する第１のスイッチ２６を設け、外扉にもその開閉を検知する第２のスイッチ２８を設け、エレベータ走行中に外扉２１が開かれ、内扉２３が閉じている場合には、エレベータを停止せずに最寄り階に着床させる。【選択図】図１
2015051852.tif 000002
【特許請求の範囲】
【請求項１】
エレベータ昇降路を立ちのぼる火災による煙を感知する煙感知器を点検するためのエレベータの煙感知器点検口において、
前記煙感知器点検口の開口部を開閉する点検口扉を、内側の内扉と外側の外扉からなる二重扉に構成し、前記内扉にはその開閉を検知する第１のスイッチを設け、前記外扉にもその開閉を検知する第２のスイッチを設け、エレベータ走行中に前記外扉が開かれ、前記内扉が閉じている場合には、エレベータを停止せずに最寄り階に着床させるようにしたことを特徴とするエレベータの煙感知器点検ボックス。
【請求項２】
前記第２スイッチが、前記外扉が開かれたことを検知した直後に、前記外扉が閉じられた場合には、エレベータの通常運転に復帰することを特徴とする請求項１に記載のエレベータの煙感知器ボックス
【請求項３】
前記第２スイッチが前記外扉の開かれたことを検知し、その後さらに前記第１スイッチが前記内扉の開かれたことを検知した場合には、安全回路が遮断しエレベータが停止することを特徴とする請求項１に記載のエレベータの煙感知器ボックス。
【発明の詳細な説明】
【技術分野】
【０００１】
本発明の実施形態は、エレベータの煙感知器点検口に関する。
【背景技術】
【０００２】
エレベータの昇降路には、火災発生に備えて、煙感知器が設置されている。煙検知器は、点検の便宜のために、煙感知器点検口の開口部の奥に収容されている。
【０００３】
エレベータの走行中に、煙検知器によって火災による煙が感知された場合には、乗りかごは最寄階に直行して避難停止し、乗客を避難させる管制運転が行われる(例えば、特許文献１)。
【０００４】
ところで、煙感知器点検口には、扉あるいは蓋が設けられており、通常は、これらによって点検口は閉塞されている。消防設備点検の際には、点検口の扉等を開けて、煙感知器を取り出して点検を行っている。
【０００５】
煙感知器の点検では、エレベータの運転が停止していることを事前に確認してから点検を始めることが点検作業の基本となるが、従来の煙感知器点検口では、エレベータの走行中に、点検口を開けても、エレベータは停止することはなかった。このため、万一、エレベータが停止していない状況で点検ボックスの点検口が開けられると思わぬ事故の発生が予想された。
【０００６】
そこで、最近では、安全性の強化のために、煙感知器の点検時にはエレベータを停止させて点検を行うことを徹底させるために、煙感知器点検口の扉等を開けた場合には、エレベータの動力を切って緊急停止させるように、扉にはスイッチを設けることが法令で義務づけられている。
【先行技術文献】
【特許文献】
【０００７】
【特許文献１】特開平２−２３１３８２号公報
【発明の開示】
【発明が解決しようとする課題】
【０００８】
しかしながら、エレベータの走行中に、点検関係者以外の第三者によって、煙感知器点検口の扉が開けられることがある。この場合、エレベータの動力が遮断され、急停止するために、乗客が乗りかごに閉じ込められることがあった。
【０００９】
本発明は、前記従来技術の有する問題点に鑑みなされたものであって、煙感知点検口の扉が、エレベータの走行中に誤って開けられた場合でも、エレベータが急停止せず、乗客が乗りかご内に閉じ込められる事態となるリスクを低減できるようにしたエレベータの煙感知器点検口を提供することを目的とする。
【課題を解決するための手段】
【００１０】
前記の目的を達成するために、本発明は、エレベータ昇降路を立ちのぼる火災による煙を感知する煙感知器を点検するためのエレベータの煙感知器点検口において、前記煙感知器点検口の開口部を開閉する点検口扉を、内側の内扉と外側の外扉からなる二重扉に構成し、前記内扉にはその開閉を検知する第１のスイッチを設け、前記外扉にもその開閉を検知する第２のスイッチを設け、エレベータ走行中に前記外扉が開かれ、前記内扉が閉じている場合には、エレベータを停止せずに最寄り階に着床させるようにしたことを特徴とするものである。
【図面の簡単な説明】
【００１１】
【図１】本発明によるエレベータの煙感知器点検口が適用されるエレベータ乗場を示す斜視図である。
【図２】本発明の一実施形態によるエレベータの煙感知器点検口の正面図である。
【図３】図２のエレベータの煙感知器点検口が開いた状態を示す正面図である。
【図４】本発明の一実施形態によるエレベータの煙感知器点検口が開けられたときのエレベータの運行を示すフローチャートである。
【発明を実施するための最良の形態】
【００１２】
以下、本発明によるエレベータの煙感知器点検口の一実施形態について、添付の図面を参照しながら説明する。
【００１３】
図１は、本実施形態による煙感知器点検口が設けられたエレベータ最上階の乗場を示す。この図１では、乗りかご１１が乗り場に到着して、ホールドア１２が開いている状態を示している。乗場には、操作盤１３が設けられている。参照番号１４は操作釦を示し、参照番号１５はかご室照明を示している。
【００１４】
図１において、参照番号２０は、煙感知器点検口を示す。煙検知器は、昇降路を立ちのぼってくる煙を確実に検知できるように、昇降路の頂部に設置されるので、最上階の乗場の壁に昇降路に通じる孔を開けて、この穴を利用して煙感知器点検口２０が設置されている。この煙感知器点検口２０の開口部の奥行きには、煙感知器が収容されており、点検の際には、煙感知器点検口を開けることで、煙検知器を取り出して点検することができる。
【００１５】
ここで、図２は、煙感知器点検口２０の正面を示す図で、図３は、煙感知器点検口２０を開けた状態を示す図である。
【００１６】
この実施形態では、煙感知器点検口２０を開閉する扉は二重扉の構造になっている。参照番号２２は、外側の外扉を示し、２１は外扉枠を示している。外扉２２は、蝶番などを介して外扉枠２１に開閉自在に取り付けられている。外扉２２の内側には、さらに内扉２３があり、この内扉２３は、外扉枠２１の内側に収められた内扉枠２４に蝶番などを介して開閉自在に取り付けられている。
【００１７】
図３に示されるように、内扉２３を開けると、内部は昇降路に通じている空間になっており、煙感知器３０が設置されている。
【００１８】
内扉枠２４には、内扉２３が開けられたことを検知する内扉スイッチ２６が設けられている。内扉２３が閉じられているときにはレバー２７が倒れてスイッチはオンになり、内扉２３が開いたときにはレバー２７が立ち上がってスイッチはオフになるように構成されている。
【００１９】
同様に、外扉枠２１にも、外扉２２が開けられたことを検知する外扉スイッチ２８が設けられている。外扉２２が閉じられているときにはレバー２９が倒れてスイッチはオンになり、外扉２２が開いたときにはレバー２９が立ち上がってスイッチはオフになるように構成されている。
【００２０】
内扉スイッチ２６と外扉スイッチ２８のオン／オフ信号は、エレベータの制御装置に送信され、エレベータの制御装置は、図４に示すフローチャートにしたがって、エレベータの走行中に煙感知器点検口２０が開けられた場合のエレベータの制御を行うようになっている。
【００２１】
本実施形態によるエレベータの煙感知器点検口は、以上のように構成されるものであり、次に、その作用並びに効果について説明する。
【００２２】
図４のフローチャートにおいて、まず、エレベータの走行中に、煙感知器点検口２０で外扉２２が開けられたとする(ステップＳ１０)。この外扉２２が開くことによって、外扉スイッチ２８のレバーが立ち上がって、スイッチはオフになる(ステップＳ１１)。
【００２３】
この外扉スイッチ２８からオフ信号が制御装置に送信されると(ステップＳ１２のｙｅｓ)、ステップＳ１３に進んで、内扉スイッチ２６がオフになっているかどうかが確認されることになる。
【００２４】
内扉２３が閉まったままになっており、このとき、内扉スイッチ２６がオンのままであるという状況は、第３者が煙感知器点検口とは知らずに外扉２２を開けてしまった場合や、点検関係者がエレベータの走行中であるにもかかわらず、誤って外扉２２を開けてしまった場合が想定される。
【００２５】
そこで、内扉スイッチ２６がオンになっている場合には(ステップＳ１３のｙｅｓ)、走行中の乗りかご１１を最寄り階に着床させ(ステップＳ１４)、かごドアおよびホールドアを開いて(ステップＳ１５)、乗客を乗りかご１１から待避させる。
【００２６】
その後、かご室照明１５を消灯してから(ステップＳ１６)、かごドアおよびホールドア１２を閉じることになる(ステップＳ１７)。ホールドア１２が閉じると、操作釦１４は無効になる。
【００２７】
他方、ステップＳ１３で、内扉スイッチ２６がオフになっているという状況(ステップＳ１３のｎｏ)は、エレベータの走行中にもかかわらず、外扉２２に続いて内扉２３も開けられたという危険な状況であるので、安全回路が遮断されてエレベータを停止させることになる(ステップＳ１８)。
【００２８】
ところで、煙感知器点検口２０の外扉２２を誤って開けてしまった場合は、それに気がついて、ただちに外扉２２を閉じれば(ステップＳ１２のｎｏ)、最初にもどっと通常運転に復帰するようになっている。
【００２９】
以上のようにして、エレベータの走行中に、煙感知器点検口２０を誤って開けてしまった状況でも、扉が二重になっているために、エレベータは非常停止することなく、乗客の閉じ込めてしまうリスクを低減することが可能になる。
【００３０】
以上、エレベータの走行中の作用について説明したが、正規の点検時には、あらかじめエレベータを停止させておいてから、煙感知器点検口２０の外扉、内扉を開けることになる。
【００３１】
以上、本発明によるエレベータの煙感知器点検口について、好適な実施形態を挙げて説明したが、これらの実施形態は、例示として挙げたもので、発明の範囲の制限を意図するものではない。もちろん、明細書に記載された新規な装置、方法およびシステムは、様々な形態で実施され得るものであり、さらに、本発明の主旨から逸脱しない範囲において、種々の省略、置換、変更が可能である。請求項およびそれらの均等物の範囲は、発明の主旨の範囲内で実施形態あるいはその改良物をカバーすることを意図している。
【符号の説明】
【００３２】
１１…乗りかご、１２…ホールドア、１３…操作盤、１４…かご室照明、１５…操作釦、２０…煙感知器点検口、２１…外扉、２２…外扉枠、２３…内扉、２４…内扉枠、２６…内扉スイッチ、２８…外扉スイッチ、３０…煙感知器
【図１】
2015051852.tif 000003
【図２】
2015051852.tif 000004
【図３】
2015051852.tif 000005
【図４】
2015051852.tif 000006
【手続補正書】
【提出日】平成26年11月11日(2014.11.11)
【手続補正１】
【補正対象書類名】明細書
【補正対象項目名】００１０
【補正方法】変更
【補正の内容】
【００１０】
前記の目的を達成するために、本発明は、エレベータ昇降路を立ちのぼる火災による煙を感知する煙感知器を点検するためのエレベータの煙感知器点検口において、前記煙感知器点検口の開口部を開閉する点検口扉を、外扉枠に開閉自在に取り付けられた外扉と、前記外扉枠の内側に配置された内扉枠に開閉自在に取り付けられた内扉と、からなる二重扉に構成し、前記内扉にはその開閉を検知する第１のスイッチを設け、前記外扉にもその開閉を検知する第２のスイッチを設け、エレベータ走行中に前記外扉が開かれ、前記内扉が閉じている場合には、エレベータを停止せずに最寄り階に着床させるようにしたことを特徴とするものである。
【手続補正２】
【補正対象書類名】特許請求の範囲
【補正対象項目名】全文
【補正方法】変更
【補正の内容】
【特許請求の範囲】
【請求項１】
エレベータ昇降路を立ちのぼる火災による煙を感知する煙感知器を点検するためのエレベータの煙感知器点検口において、
前記煙感知器点検口の開口部を開閉する点検口扉を、外扉枠に開閉自在に取り付けられた外扉と、前記外扉枠の内側に配置された内扉枠に開閉自在に取り付けられた内扉と、からなる二重扉に構成し、前記内扉にはその開閉を検知する第１のスイッチを設け、前記外扉にもその開閉を検知する第２のスイッチを設け、エレベータ走行中に前記外扉が開かれ、前記内扉が閉じている場合には、エレベータを停止せずに最寄り階に着床させるようにしたことを特徴とするエレベータの煙感知器点検ボックス。
【請求項２】
前記第２のスイッチが、前記外扉が開かれたことを検知した直後に、前記外扉が閉じられた場合には、エレベータの通常運転に復帰することを特徴とする請求項１に記載のエレベータの煙感知器ボックス。
【請求項３】
前記第２のスイッチが前記外扉の開かれたことを検知し、その後さらに前記第１のスイッチが前記内扉の開かれたことを検知した場合には、安全回路が遮断しエレベータが停止することを特徴とする請求項１に記載のエレベータの煙感知器ボックス。